(57)【要約】【課題】照明対象が受ける光量の偏りを低減する。【解決手段】反射部５０と、光照射部６０と、を備える照明装置２０が提供される。反射部５０は、照明対象１２を出し入れするための開口５８を有する。また、反射部５０は、光を照明対象１２に反射する。光照射部６０は、照明対象１２へ光を照射する。さらに、光照射部６０は、反射部５０から照明対象１２が受ける反射光量の少ない領域に対する照射光量が、当該反射光量の多い領域に対する照射光量よりも多い。【選択図】図３
2015207522.tif 000002
【特許請求の範囲】
【請求項１】
照明対象を出し入れするための開口を有し、当該照明対象へ光を反射する反射部と、
前記照明対象へ光を照射し、前記反射部から前記照明対象が受ける反射光量の少ない領域に対する照射光量が、当該反射光量の多い領域に対する照射光量よりも多い光照射部と、
を備える照明装置。
【請求項２】
前記光照射部は、前記照明対象の外周に沿って複数配置された光源を有し、
前記光源は、前記照明対象の外周に沿った方向において、前記反射部から前記照明対象が受ける反射光量の少ない領域で、当該反射光量の多い領域よりも配置密度が高い
請求項１に記載の照明装置。
【請求項３】
前記光照射部は、
光源と、
前記光源から入射された光を内部で前記照明対象の外周に沿った方向に導いて当該光を前記照明対象へ出射し、前記反射部から前記照明対象が受ける反射光量の少ない領域に対する出射光量が、当該反射光量の多い領域に対する出射光量よりも多い導光部と、
を有する請求項１に記載の照明装置。
【請求項４】
撮影対象を撮像する撮像装置と、
前記撮影対象へ光を反射する反射部と、
前記撮影対象へ光を照射し、前記反射部から前記撮影対象が受ける反射光量の少ない領域に対する照射光量が、当該反射光量の多い領域に対する照射光量よりも多い光照射部と、
を備える撮影装置。
【発明の詳細な説明】
【技術分野】
【０００１】
本願の開示する技術は、照明装置、撮影装置に関する。
【背景技術】
【０００２】
照明対象へ光を照射する光源と、光源から光が照射された照明対象を撮像するカメラと、を有する撮影装置が知られている。
【先行技術文献】
【特許文献】
【０００３】
【特許文献１】特開２０００−６５７５２号公報
【特許文献２】特開平９−６２８３１号公報
【発明の概要】
【発明が解決しようとする課題】
【０００４】
前述のような撮影装置では、光源から照明対象が受ける光量に偏りがあると、撮像される画像が不鮮明になるおそれがある。
【０００５】
本願の開示する技術は、一つの側面として、照明対象が受ける光量の偏りを低減することを目的とする。
【課題を解決するための手段】
【０００６】
上記課題を解決するために、本願の開示する技術によれば、反射部と、光照射部と、を備える照明装置が提供される。反射部は、照明対象を出し入れするための開口を有する。また、反射部は、照明対象へ光を反射する。光照射部は、照明対象へ光を照射する。さらに、光照射部は、反射部から照明対象が受ける反射光量が少ない領域に対する照射光量が、当該反射光量の多い領域に対する照射光量よりも多い。
【発明の効果】
【０００７】
本願の開示する技術によれば、照明対象が受ける光量の偏りを低減できる。
【図面の簡単な説明】
【０００８】
【図１】本実施形態に係る撮影装置を示す正面図である。
【図２】本実施形態に係る撮影装置において、載置板を前方へ引き出した状態を示す斜視図である。
【図３】図１の３−３線断面図である。
【図４】図２に示す撮影装置において、前方カバーが取り付けられた状態を示す斜視図である。
【図５】本実施形態に係る撮影装置の一部を示す側断面図である。
【図６】本実施形態に係る反射板を示す斜視図である。
【図７】図３における撮影装置の一部を示す断面図である。
【図８】本実施形態に係る反射板の他の例を示す斜視図である。
【図９】本実施形態に係る反射板の他の例を示す斜視図である。
【図１０】本実施形態に係る光照射部の他の例を示す平断面図である。
【図１１】図１０に示す光照射部を展開して示す側面図である。
【発明を実施するための形態】
【０００９】
以下、本願の開示する技術の一実施形態を説明する。
【００１０】
（撮影装置１０）
撮影装置１０は、図１に示されるように、撮影対象１２（照明対象の一例）を照明する照明装置２０と、撮影対象１２を撮像する撮像装置８０と、を備える。本実施形態では、シャーレ１２Ａに収容された収容物１２Ｂ（例えば、大腸菌などの菌を含む培地）が、撮影対象１２である。図３に示されるように、シャーレ１２Ａ及び収容物１２Ｂは、平面視円形状をしている。なお、撮影対象１２は、収容物１２Ｂに限られない。また、撮影対象１２の形状は、平面視円形状に限られない。
【００１１】
また、撮影装置１０は、図１に示されるように、撮像装置８０で撮像された画像を処理する画像処理部１６と、画像処理部１６で処理された画像における収容物１２Ｂの領域から、大腸菌などの菌のコロニーの数などを計測する計測部１８と、を有する。
【００１２】
（撮像装置８０）
撮像装置８０は、図１に示されるように、カメラ８２と、マクロレンズ８４と、カバー８６と、を有する。カメラ８２は、ＣＣＤイメージセンサやＣＭＯＳイメージセンサなどの撮像素子８２Ａを有する。マクロレンズ８４は、カメラ８２に装着される。
【００１３】
カバー８６は、マクロレンズ８４の先端（下端）に装着される。このカバー８６は、マクロレンズ８４にカメラ８２の撮影範囲外から光が入射するのを抑制する。なお、カメラ８２の撮影範囲の外縁（最大画角）は、一点鎖線８１にて図中に示される。
【００１４】
撮像装置８０では、マクロレンズ８４が、撮影対象１２からの光をカメラ８２の撮像素子８２Ａに結像させる。そして、撮像装置８０では、マクロレンズ８４によって結像された光を撮像素子８２Ａが電気信号に変換し、撮影対象１２を撮像する。撮像装置８０で撮像された画像の情報は、画像処理部１６へ送られる。
【００１５】
（照明装置２０）
照明装置２０は、図２及び図３に示されるように、筐体３０と、撮影対象１２へ光を照射する光照射部６０と、光照射部６０からの光を撮影対象１２へ反射する反射板５０（反射部の一例）と、を備える。
【００１６】
筐体３０は、前面側が開放された箱状に形成される。すなわち、筐体３０は、側板３１、３２と、背板３３と、撮像装置８０が取り付けられる天板３４と、底板３５と、を有する。筐体３０の前方側（図３におけるＡ方向側）には、側板３１、３２の前端部が屈曲された縁部３１Ａ、３２Ａが配置される。縁部３１Ａ、３２Ａの間は、筐体３０の内外を連通させる開口３９となっている。
【００１７】
さらに、筐体３０は、図２に示されるように、筐体３０の内部を上下に仕切る仕切板３６を有する。この仕切板３６の周縁部は、側板３１、３２の上下方向中間部及び背板３３の上下方向中間部に固定される。仕切板３６には、カメラ８２の撮像範囲よりも広い円孔３７が形成される。
【００１８】
仕切板３６上には、遮光カバー４２が円孔３７の外周に沿って設けられる。遮光カバー４２は、円錐台形の筒状に形成される。この遮光カバー４２は、仕切板３６の下側から円孔３７を通じて仕切板３６の上側へ向かう光のうち、カメラ８２の撮影範囲外へ向かう反射光を遮蔽する。これは、カメラ８２の撮影範囲外へ向かった光が、筐体３０内で反射してカメラ８２に入射するのを抑制するためである。
【００１９】
開口３９における仕切板３６の上方側には、図４に示されるように、開口３９の上部を塞ぐ前方カバー４８が設けられる。この前方カバー４８は、左右が縁部３１Ａ、３２Ａへ、上部が天板３４に取り付けられることによって筐体３０に取り外し可能に装着される。この前方カバー４８が仕切板３６の上方側で開口３９を塞いだ状態において、撮影対象１２の撮影が行われる。なお、図１及び図２では、図示する筐体３０の内部を見やすくするため、前方カバー４８の記載を省略している。
【００２０】
底板３５上には、図２及び図３に示されるように、撮影対象１２が載置される載置板４６（引出部の一例）が前方（図３におけるＡ方向）へ引出可能に設けられる。すなわち、載置板４６は、筐体３０の内部に収容される収容位置（図３に示す位置）と、開口３９を通じて筐体３０の外部へ引き出される引出位置（図２に示す位置）と、の間を前後方向（図３におけるＡ方向及びＢ方向）に手動で移動可能とされる。
【００２１】
そして、載置板４６上の予め定められた載置位置に撮影対象１２が載置されると共に、載置板４６が収容位置に位置することで、撮影対象１２がカメラ８２の撮像範囲内の撮影位置に位置する。
【００２２】
光照射部６０は、図３及び図５に示されるように、ＬＥＤ等の光源６２と、光源６２からの光を撮影対象１２へ透過させる透過板６４（透過部の一例）と、を有する。
【００２３】
透過板６４は、円錐台形の筒状に形成される。透過板６４の上端部が、図５に示されるように、仕切板３６の下面に対して、円孔３７の外周に沿って固定される。そして、透過板６４は、カメラ８２の撮像範囲外に、その撮影範囲の外縁８１に沿って配置される。透過板６４は、例えば、すりガラスや、サンドブラストが実施された樹脂板等の半透明材料で形成される。
【００２４】
さらに、仕切板３６の下面には、透過板６４の外周に沿って環状の基板４３が設けられる。この基板４３へは、透過板６４の外周に沿って光源６２が複数配置される。そして、光照射部６０では、光源６２から下方へ向けて放射状に光が出射される。光源６２から出射された光の一部は、透過板６４で拡散されつつ、透過板６４を透過して撮影対象１２に照射される（矢印６３Ａ参照）。光源６２から出射された光の他の一部は、光源６２から反射板５０を介して、撮影対象１２に照射される（矢印６３Ｂ及び矢印６３Ｃ参照）。なお、光源６２から反射板５０へ入射する光には、光源６２から直接、反射板５０に入射する光（矢印６３Ｂ参照）と、光源６２から透過板６４を透過して反射板５０へ入射する光（矢印６３Ｃ参照）がある。
【００２５】
反射板５０は、カメラ８２の撮像範囲外に配置される。具体的には、図３に示されるように、反射板５０は、撮影位置に位置する撮影対象１２の外周に沿って配置される。すなわち、反射板５０は、収容位置に位置する載置板４６上の撮影対象１２が載置される載置位置の外周を囲んで配置される。
【００２６】
なお、撮影対象１２の外周とは、具体的には、収容物１２Ｂ（シャーレ１２Ａ）の外周である。また、反射板５０は、平面視にて、撮影対象１２の外周に沿っていればよく、撮影対象１２に対して上下方向にずれた位置に配置されていてもよい。
【００２７】
反射板５０は、図６に示されるように、側部５１、５２と、背部５３と、連結部５４、５５と、湾曲部５６、５７と、前方側（図６におけるＡ方向側）に配置された開口５８と、を有する。側部５１、５２及び背部５３は、平板状に形成される。この側部５１、５２は、図３に示されるように、それぞれ、筐体３０の各側板３１、３２に取り付けられる。背部５３は、筐体３０の背板３３に取り付けられる。
【００２８】
連結部５４、５５及び湾曲部５６、５７は、撮影対象１２の外周（透過板６４の外周）に沿って湾曲される。連結部５４は、側部５１の後端と背部５３の側端（図３における左端）とを連結する。連結部５５は、側部５２の後端と背部５３の側端（図３における右端）とを連結する。
【００２９】
湾曲部５６、５７は、それぞれ、側部５１、５２の前端と連結される。この湾曲部５６、５７の間に、開口５８が形成される。この開口５８は、筐体３０の前後方向（図３におけるＡ方向及びＢ方向）において、筐体３０の開口３９に対向する。従って、載置板４６は、開口５８及び開口３９を通じて、反射板５０の内周側から前方（反射板５０の外周側）へ引き出し可能とされる。
【００３０】
開口５８は、具体的には、前方カバー４８が配置されていない仕切板３６の下側で、開口３９と対向する。これにより、開口５８は、常時開放された状態とされる。
【００３１】
このように、本実施形態では、反射板５０は、撮影対象１２の外周に沿った方向（以下、外周方向という）の一部に開口５８を有する。この開口５８では、光照射部６０からの光が反射板５０の外周側へ通過する。すなわち、開口５８では、光照射部６０からの光は、撮影対象１２へ反射されない。このため、反射板５０は、開口５８において、他の領域（側部５１、５２と、背部５３と、連結部５４、５５と、湾曲部５６、５７）よりも、撮影対象１２への反射光量が少ない。なお、「反射光量が少ない」という概念には、反射光量の値が０（ゼロ）の場合も含まれる。
【００３２】
従って、本実施形態では、図７に示されるように、撮影対象１２における開口５８側（Ａ方向側）の領域が、反射板５０から撮影対象１２が受ける反射光量の少ない少光量領域７０である。少光量領域７０は、具体的には、撮影対象１２の外周方向において、開口５８が配置された領域である。
【００３３】
また、撮影対象１２における少光量領域７０以外の領域が、反射板５０から撮影対象１２が受ける反射光量の多い多光量領域７２である。多光量領域７２は、具体的には、撮影対象１２の外周方向において、反射板５０の側部５１、５２、背部５３、連結部５４、５５及び湾曲部５６、５７が配置された領域である。
【００３４】
このように、撮影対象１２は、撮影対象１２の外周方向において、反射板５０から受ける反射光量に多少差（分布）を有する。なお、撮影対象１２の形状は、平面視円形状に限られないので、撮影対象１２の外周方向は、直線方向を含んでもよい。
【００３５】
そして、本実施形態では、光源６２は、撮影対象１２の外周方向において、撮影対象１２の少光量領域７０で多光量領域７２よりも配置密度が高い。すなわち、光源６２の配置間隔６２Ａが、撮影対象１２の少光量領域７０で多光量領域７２よりも狭い。これにより、光照射部６０は、撮影対象１２の少光量領域７０に対する照射光量が、撮影対象１２の多光量領域７２に対する照射光量よりも多い。
【００３６】
また、本実施形態では、例えば、光源６２は、撮影対象１２の外周方向に沿って、少光量領域７０及び多光量領域７２のそれぞれで、等間隔に配置される。なお、光源６２は、等間隔でなくてもよく、例えば、少光量領域７０から多光量領域７２に向けて、徐々に、間隔が広くなるように配置されていてもよい。さらに、光源６２は、多光量領域７２よりも少光量領域７０において、列数が多くなるように配置されていてもよい。
【００３７】
（本実施形態の作用）
本実施形態の作用について説明する。
【００３８】
本実施形態では、図５に示されるように、光源６２から出射された光の一部が、透過板６４で拡散しつつ、透過板６４を透過して撮影対象１２に照射される（矢印６３Ａ参照）。光源６２から出射された光における他の一部が、反射板５０によって撮影対象１２へ反射される（矢印６３Ｂ及び矢印６３Ｃ参照）。なお、光源６２から反射板５０へ入射する光には、光源６２から直接、反射板５０に入射する光（矢印６３Ｂ参照）と、光源６２から透過板６４を透過して反射板５０へ入射する光（矢印６３Ｃ参照）がある。
【００３９】
このように照明された撮影対象１２が、図１に示されるように、撮像装置８０によって撮像される。撮像装置８０によって撮像された撮影対象１２の画像の情報は、画像処理部１６へ送られる。そして、計測部１８にて、画像処理部１６で処理された画像における収容物１２Ｂの領域から大腸菌などの菌のコロニーの数が計測される。
【００４０】
ここで、本実施形態では、図７に示されるように、光源６２は、撮影対象１２の外周方向において、撮影対象１２の少光量領域７０で多光量領域７２よりも配置密度が高い。このため、光照射部６０は、撮影対象１２の少光量領域７０に対する照射光量が、多光量領域７２に対する照射光量よりも多くなる。すなわち、反射板５０から撮影対象１２が受ける反射光量が少ない領域において、光照射部６０から撮影対象１２への照射光量が多い。また、反射板５０から撮影対象１２が受ける反射光量が多い領域では、光照射部６０から撮影対象１２への照射光量が少ない。このため、撮影対象１２の少光量領域７０と多光量領域７２とで、撮影対象１２が受ける光量の偏り（ばらつき）を低減できる。
【００４１】
また、本実施形態では、開口５８及び開口３９を通じて載置板４６を引出位置に引き出して撮影対象１２を取り替えた後、新しい撮影対象１２を載置板４６に載せた状態で収容位置に収容できる。このように、本実施形態では、開口５８及び開口３９を通じて撮影対象１２の出し入れができるので、撮影対象１２の交換が容易となる。
【００４２】
さらに、本実施形態では、開口５８は、常時開放されるので、開口５８を開閉する手間が省け、撮影対象１２を連続的に効率よく交換できる。
【００４３】
また、本実施形態では、光源６２の配置密度によって照射光量の多少を設定するため、光源６２の個々の光量の多少によらず、撮影対象１２の外周方向における照射光量の調整ができる。
【００４４】
（反射板５０の他の例）
反射板５０の他の例について説明する。
【００４５】
前述の反射板５０では、図６に示されるように、開口５８は、反射板５０の軸方向（上下方向）に沿って形成されており、湾曲部５６、５７は分離されていたが、反射板５０の形状は、これに限られない。反射部としては、例えば、図８に示される反射板１５０であってもよい。この反射板１５０では、図８に示されるように、開口５８は、反射板５０の軸方向一部に形成される。具体的には、反射板１５０では、湾曲部５６、５７の上部同士が連結部１５２によって連結される。連結部１５２は、湾曲部１５３、１５５と、前部１５４とを有する。湾曲部１５３、１５５は、撮影対象１２の外周（透過板６４の外周）に沿って湾曲される。前部１５４は、平面状に形成される。
【００４６】
反射板１５０では、連結部１５２によって光照射部６０からの光を撮影対象１２へ反射するので、撮影対象１２の少光量領域７０と多光量領域７２とで受ける光量の差が低減される。
【００４７】
また、前述の反射板５０では、平面状の側部５１、５２及び平面状の背部５３を含んでいたがこれに限られない。反射部としては、例えば、図９に示される反射板２５０であってもよい。反射板２５０は、図９に示されるように、開口５８を有する円筒状（平面視円形状）に形成される。
【００４８】
さらに、反射板５０としては、反射板５０の材質、表面形状、撮影対象１２に対する向きなどが部分的に異なることで、反射板５０が、撮影対象１２への反射光量が少ない部分と、撮影対象１２への反射光量が多い部分とを有する構造であってもよい。なお、この構造では、開口５８を有さなくてもよい。
【００４９】
（光照射部６０の他の例）
光照射部６０の他の例について説明する。
【００５０】
光照射部としては、前述の光照射部６０に限られず、図１０及び図１１に示される光照射部１６０であってもよい。なお、図１１は、後述する環状の導光部１６４を直線状に展開した状態における側面図である。
【００５１】
光照射部１６０は、図１０及び図１１に示されるように、ＬＥＤ等の光源１６２と、光源１６２の光を撮影対象１２の外周方向に導く環状の導光部１６４と、を有する。光源１６２は、撮影対象１２の外周に沿って２つ設けられる。なお、光源１６２は、１つ又は３つ以上設けられてもよい。
【００５２】
導光部１６４は、撮影対象１２の外周に沿って配置された環状に形成される。導光部１６４には、ポリカーボネート等の空気よりも屈折率が高い材料が用いられる。
【００５３】
導光部１６４の上面には、金属材料の蒸着などにより複数の反射体１４６が側面視三角形状に上方へ突出して形成される。反射体１４６は、具体的には、四角錐形状をしている。この反射体１４６は、複数列（例えば、５列）で撮影対象１２の外周方向に沿って配置される。導光部１６４の下面には、光を散乱させる散乱シート１４９が配置される。
【００５４】
導光部１６４における光源１６２の配置領域には、凹部１４８が形成される。この凹部１４８内に光源１６２が配置される。
【００５５】
光照射部１６０では、光源１６２からの光が、導光部１６４の内部に入射される。光源１６２は、凹部１４８内に配置されるため、図１１の矢印で示されるように、光源１６２からの光が、効率よく、導光部１６４の内部に入射される。
【００５６】
導光部１６４の内部に入射した光は、上面又は下面とのなす角が、導光部１６４の屈折率で決まる所定角度未満の場合に全反射がおこり、導光部１６４の内部に光が閉じ込められた状態で、撮影対象１２の外周方向に導かれる。
【００５７】
導光部１６４の内部から散乱シート１４９に入射した光は散乱する。散乱した光のうち上面あるいは下面のなす角がこの板の屈折率によって決まるある角度以上の場合には、全反射しなくなり、導光部１６４の下面から散乱光となって出射される。導光部１６４の上面へ向かった光は、反射体１４６によって、下方へ反射され、導光部１６４の下面から出射される。
【００５８】
光照射部１６０では、撮影対象１２の外周方向において、撮影対象１２の少光量領域７０で多光量領域７２よりも、反射体１４６の配置密度が高い。これにより、光照射部１６０は、撮影対象１２の少光量領域７０に対する出射光量が、多光量領域７２に対する出射光量よりも多くなる。
【００５９】
光照射部１６０によれば、光源１６２の個数や配置密度に関わらず、撮影対象１２に照射される照射光量を撮影対象１２の外周方向において調整できる。
【００６０】
さらに、光照射部としては、以下のような構造であってもよい。本構造では、撮影対象１２の少光量領域７０（開口５８が配置された領域）に、多光量領域７２（反射板５０が配置された領域）よりに比べて高い電圧を掛けられて明るく発光させることができる光源（例えば、ＬＥＤなど）が配置される。
【００６１】
この場合では、光源に電力を供給する回路は、光源を明るく発光させる部分と、他の部分とで、別々に設けられる。そして、この構造では、回路に掛ける電圧が可変とされ、光源を明るく発光させる部分において電圧を高くすることで、明るく発光することが可能となる。
【００６２】
この構造によれば、光源に掛ける電圧を可変にすることで、開口５８を経て撮影対象１２へ入る外光の量に応じて、少光量領域７０（開口５８が配置された領域）での光源の明るさを調整できる。
【００６３】
以上、本願の開示する技術の実施形態について説明したが、本願の開示する技術は、上記に限定されるものでなく、上記以外にも、その主旨を逸脱しない範囲内において種々変形して実施可能であることは勿論である。例えば、上記複数の他の例は、適宜、組み合わせて実施しても良い。
【００６４】
なお、前述の実施形態に関し、更に以下の付記を開示する。
（付記１）
照明対象を出し入れするための開口を有し、当該照明対象へ光を反射する反射部と、
前記照明対象へ光を照射し、前記反射部から前記照明対象が受ける反射光量の少ない領域に対する照射光量が、当該反射光量の多い領域に対する照射光量よりも多い光照射部と、
を備える照明装置。
（付記２）
前記反射部は、前記照明対象の外周に沿って配置され、前記照明対象の外周に沿った方向の一部に前記開口を有する
付記１に記載の照明装置。
（付記３）
前記反射部は、前記照明対象の外周を囲む筒状に形成され、
前記開口は、前記反射部の軸方向一部に形成される
付記２に記載の照明装置。
（付記４）
前記開口は、常時開放される
付記２又は付記３に記載の照明装置。
（付記５）
前記照明対象が載置され、前記開口を通じて前記反射部の外周側へ引き出し可能に配置された引出部
を備える付記２〜４のいずれか１つに記載の照明装置。
（付記６）
前記光照射部は、前記照明対象の外周に沿って複数配置された光源を有し、
前記光源は、前記照明対象の外周に沿った方向において、前記反射部から前記照明対象が受ける反射光量の少ない領域で、当該反射光量の多い領域よりも配置密度が高い
付記１〜５のいずれか１つに記載の照明装置。
（付記７）
前記光照射部は、
前記光源からの光を拡散しつつ前記照明対象へ透過させる透過部
を有する付記６に記載の照明装置。
（付記８）
前記光照射部は、
光源と、
前記光源から入射された光を内部で前記照明対象の外周に沿った方向に導いて当該光を前記照明対象へ出射し、前記反射部から前記照明対象が受ける反射光量の少ない領域に対する出射光量が、当該反射光量の多い領域に対する出射光量よりも多い導光部と、
を有する付記１〜５のいずれか１つに記載の照明装置。
（付記９）
撮影対象を撮像する撮像装置と、
前記撮影対象へ光を反射する反射部と、
前記撮影対象へ光を照射し、前記反射部から前記撮影対象が受ける反射光量の少ない領域に対する照射光量が、当該反射光量の多い領域に対する照射光量よりも多い光照射部と、
を備える撮影装置。
【符号の説明】
【００６５】
１０   撮影装置
１２   撮影対象（照明対象の一例）
２０   照明装置
４６   載置板（引出部の一例）
５０   反射板（反射部の一例）
５８   開口
６０   光照射部
１５０ 反射板（反射部の一例）
１６０ 光照射部
１６４ 導光部
２５０ 反射板（反射部の一例）
【図１】
2015207522.tif 000003
【図２】
2015207522.tif 000004
【図３】
2015207522.tif 000005
【図４】
2015207522.tif 000006
【図５】
2015207522.tif 000007
【図６】
2015207522.tif 000008
【図７】
2015207522.tif 000009
【図８】
2015207522.tif 000010
【図９】
2015207522.tif 000011
【図１０】
2015207522.tif 000012
【図１１】
2015207522.tif 000013